(57)【要約】  編み安く、糸への負担も小さく、増し目形成箇所に生じる孔を目立ち難くすることのできる増し目を形成する方法と増し目を有する編地を提供する。  増し目を形成する編針にすでに係止されている編目を対向する針床の空針に目移して、増し目を形成する編針を空針とするステップａ、空針となっている増し目を形成する編針を備える針床において編成領域の一端から他端まで次コースの編成を行い、その編成の際に増し目を形成する編針においては空針ニットを行うステップｂ、ステップｂで編成された編目のうち、増し目を形成する編針の一方に隣接する編針側の編針に係止されている編目を対向する針床の空針に目移しするステップｃ、空針ニットされた編目からステップｃで目移しされた編目が離れるように針床をラッキングした後、ステップａとステップｃで目移しされた編目を対向する針床の空針に移すステップｄにより増し目を形成する。
2007099708.tif 000002
【特許請求の範囲】
【請求項１】
少なくとも前後一対の針床を有し、前後の針床の少なくとも一方が左右にラッキング可能で、前後の針床間で編目の目移しが可能な横編機を用いて編地の編幅方向端部よりも内側に増し目を形成する方法であって、以下のステップにより増し目を形成することを特徴とする；
増し目を形成する編針にすでに係止されている編目を対向する針床の空針に目移して、増し目を形成する編針を空針とするステップａ
空針となっている前記増し目を形成する編針を備える針床において編成領域の一端から他端まで次コースの編成を行い、その編成の際に前記増し目を形成する編針のフック内に編糸を係止させる空針ニットを行うステップｂ
ステップｂで編成された編目のうち、前記増し目を形成する編針の一方に隣接する編針側の編針に係止されている編目を対向する針床の空針に目移しするステップｃ
空針ニットされた編目からステップｃで目移しされた編目が離れるように針床をラッキングした後、ステップａで目移しされた編目とステップｃで目移しされた編目とを対向する針床の空針に移すステップｄ。
【請求項２】
請求の範囲第１項に記載の増し目を形成する方法のステップｄに続いて、ステップｄで目移しされた編目のうち、ステップａで目移しされた編目が係止されている編針をミスさせながら編成領域の一端から他端まで次コースの編成を行うステップを少なくとも１回行うことを特徴とする請求の範囲１に記載の増し目を形成する方法。
【請求項３】
請求の範囲第１項または第２項に記載の増し目を形成する方法は、ステップｂとステップｃの間に、ステップｂで編成された空針ニットの編目に連続して、編成領域の一端から他端まで次コースの編成を行うステップを含むことを特徴とする。
【請求項４】
請求の範囲第１項から第３項の何れかに記載の増し目を形成する方法は、さらに横編機に、第一給糸口と第二給糸口とを有し、これら二つの給糸口を使用してダブルシステム編成を行って編地の編幅方向端部よりも内側に増し目を形成することを特徴とする。
【請求項５】
請求の範囲第４項に記載の増し目を形成する方法は、筒状編地を編成しながら増し目を形成することを特徴とする。
【請求項６】
前側編地部と後側編地部の前後境界となる境界ウエールを形成し、この境界ウエールは、編目を捻りながら編目を連続形成していくとともに、この捻じれた編目を形成する編糸と異なる編糸を捻じれた編目に巻きつけて形成することを特徴とする請求の範囲第５項に記載の増し目を形成する方法。
【請求項７】
少なくとも前後一対の針床を有し、前後の針床の少なくとも一方が左右にラッキング可能で、前後の針床間で編目の目移しが可能な横編機を用いて編地の編幅方向端部よりも内側に増し目が形成されている編地であって、
増し目を形成しようとする針にすでに係止されている編目を対向する針床に預けることにより、この増し目を形成しようとする針を空針にした状態で、この空針のフック内に編糸を係止させて形成される増し目を有するとともに、この増し目と、この増し目に隣接する編目との間を潜らせた前記対向する針床に預けられていた編目を有し、この潜らせた編目に連続する新たな編目を形成していることを特徴とする編地の編幅方向端部よりも内側に増し目が形成されている編地。
【請求項８】
編地の編幅方向端部よりも内側に増し目が形成されている編地が、筒状編地であることを特徴とする請求の範囲第７項に記載の編地の編幅方向端部よりも内側に増し目が形成されている編地。
【発明の詳細な説明】
【技術分野】
【０００１】
本発明は、横編機で編地を編成する際に、編地の編幅方向端部よりも内側に増し目を形成する方法およびこのような増し目が形成されている編地に関する。
【背景技術】
【０００２】
横編機で編地を編成する過程において、編地を所望の形状に編成するためには、増し目や減らし目を行う。ここで、増し目を形成する方法としては、二つの方法が知られている。一つは、前側編地部または後側編地部の編幅方向端部の編目の外側に位置する空針に新たに編目を形成して編幅を増加させる方法である（以下、外増やしという）。他の一つは、編地の編幅方向端部の複数のウエールの編目を編幅外側に移動させて編地の編成領域内に空針を発生させ、この空針に新たに編目を形成して編幅を増加させる方法である（以下、内増やしという）。【０００３】
外増やしを行なう編成方法としては、例えば特許文献１に開示されている。特許文献１に開示されている編成方法は、２つの給糸口を、針床の長手方向に時間をずらして走行させて編成するダブルシステム編成により編地を筒状に編成しながら、外増やしを行っている。【０００４】
ここで、外増やしでは、増し目を形成する毎に編地の編幅方向端部に新たにウエールが形成されるため、編地の端縁部が不揃いとなり、外観があまり美しくない。これに対し、内増やしでは、編地の端縁以外の箇所で新たなウエールが形成されるため、編地の端縁部には一連に形成されたウエールが現れ、前後の編地部の境界線を挟むウエールは平行して綺麗に揃った状態にできる。【０００５】
しかし、上記した何れの増し目の形成方法においても、前コースの編目が存在しない空針に給糸することにより、増し目を形成することになる。従って、増し目形成箇所では、新たに形成した編目が、次コースの編目により引き上げられ、増し目形成箇所に大きな孔が発生し、見栄えが悪くなるという問題があった。【０００６】
そこで、この孔空きの問題を解決するため、本出願人は、増し目形成箇所に生じる孔を目立ち難くする内増やしによる増し目の形成方法を提案した（特許文献２参照）。この増し目形成方法は、まず、前後の異なる針床上に対向配置される第一の針と第二の針のうち、第一の針に係止される編目を第二の針に目移ししながら、第一の針に給糸して、第二の針に目移しした編目に続けて、この第一の針に新たに編目を形成する。この第一の針に新たに編目を形成することにより、第二の針に目移しした編目が増し目となる。そして、針床をラッキングにより横方向に移動させて、第一の針の隣に空針を設けた後、第二の針に目移しした編目を、この空針に移すことにより、第一の針に係止された編目の横に増し目が形成された状態になる。この増し目形成方法では、前後の異なる針床に設けられる針間での目移しを利用して増し目の形成が行われ、一つ目の編目が二つに割れて増し目が形成された状態になる（以下、割り増やしという）。【０００７】
【特許文献１】特許第３１２１２８３号公報
【特許文献２】特公昭６２−５２０６３号公報
【発明の開示】
【発明が解決しようとする課題】
【０００８】
割り増やしにより増し目を形成する場合、増し目は前コースの編目に保持された状態となるため、次コースの編目により引き上げられることがない。そのため、孔の開きが非常に小さい状態で増し目を有する編地を編成でき、外観の美しい編地を提供できる。【０００９】
しかし、割り増やしにより増し目を形成する場合、すでに形成されている編目を二つに割って新たに編目を形成することになる。従って、糸切れの発生しやすい糸を使用して、小さな度目で編成する場合には、増し目は他のループに比べて小さくなるため、目移しなど編成が行い難く、目落ちが発生したりする虞がある。さらに、目があまりに小さくなると糸への負担も大きくなる。【００１０】
そこで、本発明は、編み易く、糸への負担も小さく、さらに、増し目形成箇所に生じる孔を目立ち難くすることのできる増し目を形成する方法およびその方法で編成された増し目を有する編地を提供することを目的とする。
【課題を解決するための手段】
【００１１】
本発明の編地の編成方法は、少なくとも前後一対の針床を有し、前後の針床の少なくとも一方が左右にラッキング可能で、前後の針床間で編目の目移しが可能な横編機を用いて編地の編幅方向端部よりも内側に増し目を形成する方法であって、以下のステップにより増し目を形成することを特徴とする。【００１２】
増し目を形成する編針にすでに係止されている編目を対向する針床の空針に目移して、増し目を形成する編針を空針とするステップａ、
空針となっている前記増し目を形成する編針を備える針床において編成領域の一端から他端まで次コースの編成を行い、その編成の際に前記増し目を形成する編針のフック内に編糸を係止させる空針ニットを行うステップｂ、
ステップｂで編成された編目のうち、前記増し目を形成する編針の一方に隣接する編針側の針に係止されている編目を対向する針床の空針に目移しするステップｃ、
空針ニットされた編目からステップｃで目移しされた編目が離れるように針床をラッキングした後、ステップａで目移しされた編目とステップｃで目移しされた編目とを対向する針床の空針に移すステップｄ。【００１３】
本発明の増し目を形成する方法は、上記した増し目を形成する方法のステップｄに続いて、ステップｄで目移しされた編目のうち、ステップａで目移しされた編目が係止されている編針をミスさせながら、編成領域の一端から他端まで次コースの編成を行うステップを少なくとも１回行うことが好ましい。【００１４】
本発明の増し目を形成する方法は、また、ステップｂとステップｃの間に、ステップｂで編成された空針ニットの編目に連続して、編成領域の一端から他端まで次コースの編成を行うステップを含むように編成することが好ましい。【００１５】
本発明の増し目の形成方法は、前記した横編機を、さらに、第一給糸口と第二給糸口とを有する構成として、これら二つの給糸口を使用してダブルシステム編成を行いながら編地の編幅方向端部よりも内側に増し目を形成する場合にも適用できる。ダブルシステム編成する場合には、筒状に編地を編成することが好ましい。【００１６】
ところで、ダブルシステム編成により筒状に編地を編成する場合、図９に示すように、後行の第二給糸口５を編機前面側から見て手前側に設け、先行の第一給糸口６を奥側に設けて筒状に編成すると、給糸口の進行方向の反転位置となる編幅方向端部の一方で２本の編糸が交差してしまうという問題がある。この編糸の交差部分は、回りの編目により編糸が引っ張られて、前後の編地部の境界Ｘに、図１０に示すような孔ｇが発生してしまう。特許文献１では、この交差部分の孔が目立ち難くなるように編成しているが、孔が目立ち難いだけで、編地には依然として孔が形成されている。【００１７】
そこで、本発明の増し目を形成する方法は、ダブルシステム編成により筒状に編地を編成しながら増し目を形成する場合には、前側編地部と後側編地部の前後境界となる境界ウエールを形成することが好ましい。この境界ウエールは、編目を捻りながら編目を連続形成していくとともに、この捻じれた編目を形成する編糸と異なる編糸を捻じれた編目に巻きつけて形成することにより、糸の交差部分に孔が形成されない。【００１８】
上記方法により編地の編幅方向端部よりも内側に増し目が形成された編地は、増し目を形成しようとする編針にすでに係止されている編目を対向する針床に預けることにより、この増し目を形成しようとする編針を空針にした状態で、この空針のフック内に編糸を係止させて形成される増し目を有する。加えて、上記方法により形成された編地は、この増し目と、この増し目に隣接する編目との間を潜らせた前記対向する針床に預けられていた編目を有し、この潜らせた編目に連続する新たな編目が形成されている。【００１９】
本発明の編地の編幅方向端部よりも内側に増し目が形成されている編地は、筒状編地とすることが好ましい。
【発明の効果】
【００２０】
本発明の編地の編成方法によれば、増し目を形成する編針に予め編目が形成された状態で、この編目を対向する針床に目移ししておき、この目移しにより空針となった編針に増し目を形成した後、目移しされていた編目をこの増し目の隣に戻すようにしている。その結果、増し目により孔が形成された状態となっても、この目移しにより戻された編目により孔の一部が塞がれた状態になるので、増し目形成箇所に発生する孔を目立ち難くすることができる。【００２１】
本発明の方法で増し目を形成する場合、すでに形成されている編目を二つに割って増し目を形成するようにはなっていないので、糸切れし易い糸で編成する場合でも、小さい度目で編成する場合でも、増し目を簡単に編成できるし、糸への負担も小さい。【００２２】
また、前記ステップｄに続く編成において、前記したステップａで目移しされた編目が係止されている編針をミスさせながら編成領域の一端から他端まで次コースの編成を行うことにより、ステップａで目移しされた編目に連続する新たな編目は、ミスを形成するコースの次のコースにおいて形成されることになる。この新たに形成される編目により、ステップａで目移しされた編目は引き上げられ、増し目形成箇所に発生する孔をさらに目立たなくすることができる。【００２３】
さらに、前記したステップｂとステップｃの間に、空針ニットに連続して次コースを編成することによっても、ステップａで目移しされた編目に連続する新たな編目を形成したときに、このステップａで目移しされた編目は引き上げられ、増し目形成箇所に発生する孔をさらに目立たなくすることができる。【００２４】
しかも、本発明の増し目を形成する方法は、ダブルシステムで編成を行いながら増し目を形成すると、複数の編成システムを搭載したキャリッジを１コース走行させる間に、２コースの編成と目移しが可能となる。その結果、増し目形成箇所に大きな孔を発生させないように増し目を容易に形成できながら、生産性を向上できる。【００２５】
ダブルシステム編成の場合、編地は筒状に編成することにより生産性が良くなる。しかも、ダブルシステム編成で筒状に編成を行う場合、前側編地部と後側編地部の前後境界となる境界ウエールを形成し、この境界ウエールは、編目を捻りながら、この捻じれた編目を形成する編糸と異なる編糸を捻じれた編目に巻きつけて編成すると、この境界ウエールによって、従来生じていた孔が空くことがなくなる。しかも、捻じれ目と編糸の巻きつけにより、ミシンステッチのような外観が得られて、デザイン的にも優れた編地を作製できる。
【発明を実施するための最良の形態】
【００２６】
次に本発明の好適な実施の形態を図面に基づいて以下に詳細に説明する。本実施形態は、左右方向に延び、かつ、前後方向に互いに対向する前後一対の針床を有し、後針床が左右にラッキング可能で、しかも、前後の針床間で編目の目移しが可能な４枚ベッドの横編機を用いて編地を編成する。【００２７】
なお、編地を編成するに当たっては、前針床、後針床からなる２枚ベッドの横編機を用いて編成することもできる。２枚ベッドの横編機を用いて編地を編成する場合は、一本おきに空針を設けた状態で編地を編成する。また、２枚ベッドの横編機を用いる場合、前後針床の一方または両方の上位にトランスファージャックを列設したトランスファージャックベッドを設けて編地を編成するようにしてもよい。【００２８】
４枚ベッド横編機は、下部前針床と下部後針床の上に、下部の針床と同ピッチで多数の編針が列設された上部前針床と上部後針床を備えている。以下、下部前針床を単にＦＤと、下部後針床をＢＤと、上部前針床をＦＵと、上部後針床をＢＵという。【００２９】
本実施形態では、４枚ベッドの横編機のＦＤで、前身頃と左右の袖の前側編地部とを編成し、ＢＤで後身頃と左右の袖の後側編地部とを編成するようにしている。そして、ＢＵの針は、前身頃と袖の前側編地部の編目の目移しに用いる。ＦＵの針は、後身頃と袖の後側編地部の編目の目移しに用いる。【００３０】
前記したＦＵおよびＢＵを用いることにより、リンクス、ガーター、リブなどの表目と裏目が混在した組織柄を編成したり、編目の回し込みや、編目の重ねを行うことができる。【００３１】
本実施形態で使用する横編機は、さらに、編機前面側から見て手前側（前側）に位置するガイドレール上（図示なし）に摺動可能に設けられる第二給糸口５と、奥側（後側）に位置するガイドレール上に摺動可能に設けられる第一給糸口６とを備える。【００３２】
本実施形態のダブルシステム編成を行う横編機では、針床上を移動し、編成に用いるカムシステムＳ２、カムシステムＳ３と、目移しに用いるカムシステムＳ１、カムシステムＳ４とが搭載されたキャリッジを備える。以下、カムシステムＳ１、カムシステムＳ２、カムシステムＳ３、カムシステムＳ４を単にＳ１、Ｓ２、Ｓ３、Ｓ４という。編成工程において、キャリッジの進行方向の先行側からのカムシステムを常にＳ１，Ｓ２，Ｓ３，Ｓ４としている。【００３３】
これらカムシステムによりキャリッジの１回の往動または復動する間に、先行する第一給糸口６から給糸される編糸での編成と、後行する第二給糸口５から給糸される編糸での編成と、目移しとを行うダブルシステム編成を行う。【００３４】
本実施形態で編成されるセーター1は、図８に示すように、丸首の長袖のセーター１で、身頃２、右袖３、左袖４を有している。このセーター1は、身頃２を前身頃と後身頃とを連続して筒状に編成し、左右の袖３,４も筒状に編成した後、身頃２と袖３,４の接合部分においては、身頃２と袖３,４を１つの連続した筒状となるように編成して接合する。なお、本実施形態では、身頃、袖の左右を表す用語、例えば、右袖３や左袖４などの右と左は、セーター1を着用した状態の着用者を基準にしている。【００３５】
左右両袖３,４は、通常は、筒状に編成しながら袖口側から徐々に編幅を広げて編成していく。この編幅を広げるために、本実施形態では、袖３,４の前側編地部および後側編地部における身頃２に隣接する編幅方向端部側で、かつ、前後の編地部の前後境界より４〜５目内側で増し目の形成を行う。【００３６】
この増し目の形成は、編成する編地の形状に応じて、２コース編成する毎に１目ずつ増し目を形成したり、４コース編成する毎に１目ずつ増し目を形成したり、６コース編成する毎に１目ずつ増し目を形成したりする。【００３７】
本実施形態のセーター1は、身頃２の後身頃、右袖３および左袖４の後側編地部は、主としてＢＤを、空針を設けることなく総針状態で使用して編成される。身頃２の前身頃、右袖３および左袖４の前側編地部は、主としてＦＤを、空針を設けることなく総針状態で使用して編成される。【００３８】
以下本発明の増し目を形成する方法の実施形態について、図１のループ図と図２および図３の編成工程図に基づいて説明する。本実施形態では、左右両袖３，４で行われる編成は、左右反転した状態となる点を除けば編成方法そのものは同一であるため、以下に示す実施の形態では右袖３に増し目を形成する場合の編成についてのみ説明する。【００３９】
セーター1における身頃２、袖３,４の編組織は、説明の便宜上、平編みの無地とし、身頃２の裾部と袖３,４の袖口部分はリブ編みとしている。【００４０】
そして、図１に示す編地ループ図は、右袖３の前側編地部に増し目を形成した状態を示している。図１に示すアルファベットＨ〜Ｋは、ＢＤの針を示す。図２および図３では、右袖３のある部分において、平編みで筒状に編成された状態から増し目を形成していく工程図が示されている。【００４１】
図２および図３の編成工程図、そして後記する境界ウエールを編成する場合の編成工程図（図６）において、説明の便宜上、右袖３の編目の数は、実際の編成で使用される本数よりも少なく表示している。図２および図３に示すアルファベットＡ〜Ｒは、前後に対向配置したＦＤ、ＢＤ、ＦＵ、ＢＵの針を示す。なお、図６の編成工程図では、ＦＵ、ＢＵは省略している。さらに、編地ループ図の大文字アルファベットと編成工程図に示すアルファベットは対応させている。図２、図３、図６において、左端の数字は編成ブロック番号を示す。【００４２】
図２、図３の各編成ブロックにおいて、右端の欄の矢印は後針床のラッキング方向を示し、その矢印の下には、ピッチ数を示している。さらに、右端の欄の左隣の欄の矢印は、編成方向を示している。図６の各編成ブロックにおいて、右端の欄の矢印は、編成方向を示している。【００４３】
図２に示すステップＳは、右袖３の編成途中の段階で、増し目の形成が開始される前の状態を示している。さらに、ステップＳでは、ＦＤとＢＤの針ＣからＮに編目が係止されて、右袖３が筒状に編成されている状態を示している。【００４４】
ＦＤに係止されている編目は、右袖３の前側編地部の編目であり、ＢＤに係止されている編目は右袖３の後側編地部の編目である。【００４５】
図２の編成ブロック１は、キャリッジを左方向に移動させ、まず、第一給糸口６からＦＤに給糸して、先行のＳ２で、前側編地部を１コース編成する。次に、第二給糸口５からＦＤに給糸して、後行のＳ３で、Ｓ２により編成された編目に連続して次のコースを編成する。最後に、Ｓ４により、すでに編成されている後側編地部の編目のうち、ＢＤの針Ｊに係止されている編目を対向するＦＵの針Ｊに目移しする。この目移しにより、ＢＤの針Ｊは空針となる。【００４６】
次の編成ブロック２では、まず、第一給糸口６からＢＤに給糸して、先行のＳ２で、後側編地部を１コース編成する。このとき、ＢＤの針Ｊは空針となっているので、この空針のフック内に編糸を係止させて空針ニットを行う。次に、第二給糸口５からＢＤに給糸して、後行のＳ３で、Ｓ２により編成された編目に連続して次のコースを編成する。最後に、Ｓ４により、Ｓ３で編成された後側編地部の編目のうち、ＢＤの針Ｋ，Ｌ，Ｍ，Ｎに係止されている４つの編目を対向するＦＵの針Ｋ，Ｌ，Ｍ，Ｎに目移しする。【００４７】
次の編成ブロック３では、後針床を左に１ピッチラッキングした後、まず、先行のＳ１により、ＦＵの針Ｊ，Ｋ，Ｌ，Ｍ，Ｎに係止されている５つの編目を対向するＢＤの針Ｋ，Ｌ，Ｍ，Ｎ，Ｏに目移しする。この目移しにより、編成ブロック１のＳ４によりＦＵの針Ｊに目移しされていた編目が、空針ニットがされたＢＤの針Ｊの隣の針Ｋに係止された状態になり、後側編地部に増し目が形成される。さらに編成ブロック３のＳ１では、ＦＤの針Ｉに係止されている前側編地部の編目を対向するＢＵの針Ｊに目移しする。【００４８】
同じく編成ブロック３では、第一給糸口６からＦＤに給糸して、次のＳ２で、前側編地部を１コース編成する。このとき、ＦＤの針Ｉは空針となっているので、この空針のフック内に編糸を係止させて空針ニットを行う。次に、第二給糸口５からＦＤに給糸して、後行のＳ３で、Ｓ２により編成された編目に連続して次のコースを編成する。最後に、Ｓ４により、Ｓ３で編成された前側編地部の編目のうち、ＦＤの針Ｊ，Ｋ，Ｌ，Ｍ，Ｎに係止されている４つの編目を対向するＢＵの針Ｋ，Ｌ，Ｍ，Ｎ，Ｏに目移しする。【００４９】
次の編成ブロック４（図３を参照）では、後針床を右に１ピッチラッキングした後、まず、先行のＳ１により、ＢＵの針Ｊ，Ｋ，Ｌ，Ｍ，Ｎ，Ｏに係止されている６つの編目を対向するＦＤの針Ｊ，Ｋ，Ｌ，Ｍ，Ｎ，Ｏに目移しする。この目移しにより、編成ブロック３のＳ１によりＢＵの針Ｊに目移しされていた編目が、空針ニットがされたＦＤの針Ｉの隣の針Ｊに係止された状態になり、前側編地部に増し目が形成される。【００５０】
同じく編成ブロック４では、第一給糸口６からＢＤに給糸して、次のＳ２で、後側編地部を１コース編成する。このとき、ＢＤの針Ｋはミスをする。次に、第二給糸口５からＢＤに給糸されてして、後行のＳ３で、Ｓ２により編成された編目に連続して次のコースを１コース編成する。このときも、ＢＤの針Ｋはミスをする。これらミスにより、ＢＤの針Ｋには編目が係止されたままの状態となる。【００５１】
次の編成ブロック５では、まず、第一給糸口６からＦＤに給糸して、先行のＳ２で、前側編地部を１コース編成する。このとき、ＦＤの針Ｊはミスをする。次に、第二給糸口５からＦＤに給糸して、後行のＳ３で、Ｓ２により編成された編目に連続して次のコースを１コース編成する。このときも、ＦＤの針Ｊはミスをする。これらのミスにより、ＦＤの針Ｊには編目が係止されたままの状態となる。【００５２】
次の編成ブロック６では、まず、第一給糸口６からＢＤに給糸して、先行のＳ２で、後側編地部を１コース編成する。次に、第二給糸口５からＢＤに給糸して、後行のＳ３で、Ｓ２により編成された編目に連続して次のコースを編成する。【００５３】
次の編成ブロック７では、まず、第一給糸口６からＦＤに給糸して、先行のＳ２で、前側編地部を１コース編成する。次に、第二給糸口５からＦＤに給糸して、後行のＳ３で、Ｓ２により編成された編目に連続して次のコースを編成する。【００５４】
以上のように編地を編成することにより、筒状編地の一方の編幅方向端部近くの増し目を形成する箇所に図１に示すような増し目を形成できる。本実施形態では、増し目を形成しようとする編針にすでに係止されている編目を対向する針床に預けておく。次いで、空針となった増し目形成用の編針に空針ニットされて増し目が形成されることにより増し目形成箇所に孔が生じても、この孔を塞ぐように、対向する針床に預けておいた編目を、この増し目と、この増し目に隣接する編目との間を潜らせるように元の針床に戻す。そして、この潜らせた編目に連続させて新たな編目を形成することにより、潜らせた編目が前記新たな編目によって引き上げられて、増し目形成箇所の孔が小さくなる。【００５５】
本実施形態では、増し目と、この増し目に隣接する編目との間を潜らせた編目を、二回ミスをした後に、この潜らせた編目に連続する新たな編目を形成している。そのため、潜らせた編目が、この潜らせた編目を編成したコースから４コース上の編目と同じコースに位置された状態で、潜らせた編目を編成したコースから５コース上のコースが編成される。その結果、この潜らせた編目は、この編目に続く５コース上の新たな編目により強く引き上げられる。その結果、増し目形成箇所の孔をより目立たなくすることができる。図１のループ図は、編成状態を分りやすくするために潜らせた編目を長く形成しているが、実際は、図７に示す編地の画像のように、潜らせた編目は小さくなっている。【００５６】
このように本実施形態では、ダブルシステム編成を行いながら増し目を形成しているので、キャリッジを１コース走行させる間に、２コースの編成と目移しが可能となる。その結果、増し目形成箇所に大きな孔を発生させないように編地を形成できるだけでなく、目移しのためだけにキャリッジを走行させる必要がなくなり、編地の生産性を向上できる。【００５７】
なお、本実施形態では、ダブルシステム編成により二つの給糸口を用いながら編成したが、一つの給糸口のみから給糸して筒状に編成する場合にも、同様にして増し目を形成するとともに、増し目により形成される孔を小さくするための編目の上をミスする編成を行うことができる。さらに、このミスは、本実施形態では２回行ったが、ミスは１回行うだけにしてもよいし、ミスを行わないようにしてもよい。このようにミスを行うかどうか、また、ミスを行なう場合はミスの回数を何回とするか、の判断は、使用する編糸の種類や素材によって決定するとよい。例えば、伸縮性のある編糸であれば、ミスをしなくてもよい。伸縮性の小さい編糸であれば、ミスの回数を多くして、潜らせた編目から遠い上方の編目で強く編目を引き上げるようにする。【００５８】
ところで、ダブルシステム編成により筒状に編地を編成する場合、両方の給糸口は、前後両針床の針に環状に給糸して筒状編地を編成する。その結果、給糸口の進行方向の反転位置となる編幅方向端部の一方で先行の給糸口から給糸される編糸と後行の給糸口から給糸される編糸が交差して、図１０に示すように、前後の編地部の境界部分Ｘに孔ｇが空いてしまう。【００５９】
そこで、本実施形態では、ダブルシステム編成で筒状に編成を行いながら増し目を形成する場合には、筒状編地の前側編地部と後側編地部の前後境界部に、前後の境界となる境界ウエールを形成する。そして、この境界ウエールは、捻りながら編目を形成すると共に、この捻じれた編目を形成する編糸と異なる編糸を捻じれた編目に巻きつけていくようにして形成する。【００６０】
この境界ウエールの編成方法について、図４から図６に基づいて説明する。図４は、右袖３の前側編地部ＦＦと後側編地部ＢＦの境界部分のうち、身頃側、即ち、袖の内側の編地ループ図を示す。本実施形態では、右袖３の身頃側境界部分は、ダブルシステム編成において２本の編糸が交差する側となる。また、図５は、右袖３の前側編地部ＦＦと後側編地部ＢＦの境界部分のうち、身頃とは反対側、即ち、袖の外側の編地ループ図を示す。そして、境界ウエールを編成するための編成工程図を図６に示す。【００６１】
図４および図５に示すアルファベットＬ〜Ｎ，Ｂ〜Ｄは、ＦＤとＢＤの針を示す。図４および図５の一点鎖線Ｘは、前側編地部ＦＦと後側編地部ＢＦの境界線を示している。【００６２】
図６に示すステップＳは、右袖３の編成途中の段階で、ＦＤとＢＤの針ＣからＮに編目が係止されて、右袖３が筒状に編成されている状態を示している。この編成工程図では、増し目の形成方法と境界ウエールの形成方法とを区別するために、増し目の形成は省略している。ＦＤに係止されている編目は、右袖３の前側編地部ＦＦの編目であり、ＢＤに係止されている編目は右袖３の後側編地部ＢＦの編目である。【００６３】
図６の編成ブロック１は、キャリッジが左方向に移動し、まず、第一給糸口６からＦＤに給糸して、先行のＳ２で前側編地部ＦＦを１コース編成する。次に、第二給糸口５からＦＤに給糸して、後行のＳ３で、Ｓ２により編成された編目に連続して次のコースを編成する。Ｓ３では、編幅方向両端の編目は、Ｓ２により第一給糸口６から給糸されて編成された編目数よりも一目ずつ多く編目を形成する。即ち、ＦＤの針Ｂと針Ｏにも編目を形成する。最後に、Ｓ４により、前側編地部ＦＦのＳ３で編成された編目のうち、ＦＤの針Ｏに係止されている編目を対向するＢＤの針Ｏに目移しすると共に、ＦＤの針Ｂ係止されている編目を対向するＢＤの針Ｂに目移しする。このとき、図６の左側端部の編目は、第一給糸口６が第二給糸口５よりも後側に配置されているため、ＦＤの針Ｂに係止されている編目を対向するＢＤの針Ｂに目移しすると、第二給糸口５から給糸された編糸が、第一給糸口６から給糸された編糸の上をまたぐ状態になる。【００６４】
次の編成ブロック２では、まず、第一給糸口６からＢＤに給糸して、先行のＳ２で後側編地部を１コース編成する。このとき、編成ブロック１のＳ４で目移しされた編目が係止されるＢＤの針Ｂでは編目を形成せず、ＢＤの針Ｏには編目を形成する。このＳ２による編成により、ＢＤの針Ｂに係止される編目は、第一給糸口６から給糸される編糸が巻きついた状態になる（図５のループ図に示す編糸ａ）。【００６５】
そして、編成ブロック２では、次に第二給糸口５からＢＤに給糸して、後行のＳ３で、Ｓ２により編成された編目に連続して次のコースを編成する。ＢＤの針Ｂでは編目を形成し、ＢＤの針Ｏには編目を形成しない。Ｓ３による編成で、編成ブロック１のＳ４で目移しされてＢＤの針Ｂに係止されていた編目は、捻じられた状態になる（図５のループ図に示す編目ｂ）。さらに、この捻じられた編目に連続して、針Ｂにおいて同じ編糸（第二給糸口５から給糸した編糸）で編目が形成される（図５のループ図に示す編目ｃ）。【００６６】
編成ブロック２では最後に、Ｓ４により、Ｓ２で第一給糸口６から給糸して編成されたＢＤの針Ｏの編目を対向するＦＤの針Ｏに目移しすると共に、Ｓ３で第二給糸口５から給糸して編成されたＢＤの針Ｂの編目を対向するＦＤの針Ｂに目移しする。これらの目移しにより、ＦＤの針Ｂに係止される編目は、捻じられた状態になり（図５のループ図に示す編目ｃ）、針Ｏに係止される編目は、捻じられた状態になる（図４のループ図に示す編目ｅ）。【００６７】
次の編成ブロック３は、編成ブロック１と同じ編成を行う。編成ブロック２の関係から、編幅方向端部に形成される編目の状態について説明する。第一給糸口６からＦＤに給糸して、先行のＳ２で前側編地部ＦＦを１コース編成するが、ＦＤの針Ｏと針Ｂには編目は形成しない。そのため、編成ブロック２のＳ２で形成した針Ｏに係止される編目から続いて隣の針Ｎに編目が形成される。このとき、針Ｏに係止される編目には、第二給糸口５から給糸される編糸が巻きついた状態になる（図４のループ図に示す編糸ｄ）。【００６８】
編成ブロック３のＳ３では、第二給糸口５から給糸されて編成される編目のうち、編幅方向端部のＦＤの針Ｏで編成される編目は、第一給糸口６から給糸された編糸で編成された編目に連続して形成され、針Ｂで編成される編目は、同じ第二給糸口５から給糸された編糸で編成された編目に連続して形成される。【００６９】
編成ブロック３のＳ４では、ＦＤの針Ｂと針Ｏに係止されている編目を対向するＢＤの針Ｂと針Ｏに目移しする。このとき、ＢＤの針Ｏに係止される編目は、捻じられた状態になる（図４のループ図に示す編目ｆ）。【００７０】
このようにして、境界ウエールを編成することにより、この境界ウエールは、編目を捻りながら連続して編成されていき、さらに、この捻じれた編目を形成する編糸と異なる編糸を捻じれた編目に巻きつけた状態になる。その結果、この境界ウエールにより、ダブルシステム編成により従来生じていた孔が空くことがなくなり、しかも、捻じれ目と編糸の巻きつけにより、ミシンステッチのような外観が得られて、デザイン的にも優れた編地を編成できる。さらに、境界ウエールの編目は、捻じれた状態になる上に、さらに、他の編糸が巻きついた状態になるので、編地の境界部分を伸び難い状態にできる。【００７１】
なお、図４および図５に示すループ図は、説明の便宜上、各針に対応する位置に境界ウエールの編目を表現しているが、実際に編目が安定した状態になると、図７の画像に示すように境界ウエールの編目は、ウエール方向に真直ぐに延びた状態になる。【００７２】
また、本実施形態では、右袖３は、袖の内側で２本の編糸が交差するようにしている。そこで、従来のダブルシステム編成により糸が交差しない側となる袖の外側には、本発明の境界ウエールは形成せず、袖の内側にのみ境界ウエールを形成するようにしてもよい。【００７３】
さらに、ダブルシステム編成を行う場合、２本の編糸を給糸する給糸口は、本実施形態では、手前側に第二給糸口５を設け、奥側に第一給糸口６を設けて、第一給糸口６を常に先行させた。しかしながら、本発明の編成方法は、往路において奥側の第一給糸口６を先行させた後、復路において手前側の第二給糸口５を先行させる場合にも適用できる。さらに、４つの給糸口をそれぞれ別のガイドレールに配置させて、給糸口を切り換えながら２本の糸で編成する場合にも本発明を適用できるし、同じガイドレールに２つの給糸口を配置させて編成する場合にも適用できる。このような給糸口の配置を行うと、糸の交差の発生の仕方が本実施形態と異なり、例えば本実施形態と反対側端部に糸の交差が発生したり、編幅方向両端部に糸の交差が発生したりする場合もあるが、本発明に係る境界ウエールの形成方法は、糸の交差の状態が異なっても適宜対応することができる。【００７４】
さらに、ダブルシステム編成により本発明の編成方法を行う場合、筒状に編地を編成する場合だけでなく成型編みにより編地を編成する場合にも適用できる。なお、本発明の編地の編幅方向端部よりも内側に増し目が形成されている編地は、ダブルシステム編成で編成された成型編地や筒状編地に限らない。【００７５】
また、空針ニットを含むように１コース編成された編目のうち、増し目を形成する編針の一方に隣接する編針側の編針に係止されている編目を対向する針床の空針に目移しする動作は、編幅を増加させる場合にも、編目の増やしと減らしを行って編幅を一定のまま編成する場合にも適用できる。例えば、編み幅を増加させる場合には、増し目を形成する編針に対して一方側の編針に係止されている編目の全てを対向する針床の空針に目移しする。また、編幅一定のまま編成する場合には、編地内で増やしと減らしを行えばよく、増し目を形成する編針から減らし目(重ね目)を形成する編針の間に係止される編目を目移しして、重ね目を形成する。
【産業上の利用可能性】
【００７６】
本発明の増し目の形成方法は、生産性の良いダブルシステム編成を行いながら、増し目が形成される編地を編成する場合に適している。
【図面の簡単な説明】
【００７７】
【図１】本発明の増し目を形成する方法で編成された増し目を有する編地のループ図である。
【図２】増し目を形成するための編成工程図である。
【図３】増し目を形成するための編成工程図である。
【図４】ダブルシステム編成で筒状に編成したときの前後の編地部の境界部に境界ウエールを形成した状態を示す編地のループ図であって、筒部の編幅方向左側端部のループ図である。
【図５】ダブルシステム編成で筒状に編成したときの前後の編地部の境界部に境界ウエールを形成した状態を示す編地のループ図であって、筒部の編幅方向右側端部のループ図である。
【図６】境界ウエールを形成するための編成工程図である。
【図７】ダブルシステム編成で筒状に編成したときの前後の編地部の境界部に境界ウエールを形成し、この境界部の近くに増し目を形成した状態を示す編地表面の画像である。
【図８】本発明の増し目を形成する方法で左右の袖の編幅を広げて編成されるセーターの前身頃側からみたパーツ平面図である。
【図９】ダブルシステム編成で筒状に編成したときの二つの給糸口の状態を示す説明図である。
【図１０】ダブルシステム編成で筒状に編成したときの前後の編地部の境界部に発生する孔の状態を示すループ図である。
【符号の説明】
【００７８】
１  セーター
２  身頃
３  右袖
４  左袖
６  第一給糸口
５  第二給糸口
ＦＦ  前側編地部
ＢＦ  後側編地部
【図１】
2007099708.tif 000003
【図２】
2007099708.tif 000004
【図３】
2007099708.tif 000005
【図４】
2007099708.tif 000006
【図５】
2007099708.tif 000007
【図６】
2007099708.tif 000008
【図８】
2007099708.tif 000009
【図９】
2007099708.tif 000010
【図１０】
2007099708.tif 000011
【図７】
2007099708.tif 000012
【国際調査報告】
2007099708.tif 000013
2007099708.tif 000014
2007099708.tif 000015